(57)【特許請求の範囲】
【請求項１】
通信されるデータ量の上限値がそれぞれ設定された複数の通信方式が混在する無線通信環境下にて使用される通信端末であって、
通信されるデータを圧縮する圧縮部と、
通信されるデータ量が、通信に用いられる通信方式に応じて設定された上限値より大きい場合に、前記データを前記圧縮部にて圧縮する圧縮制御部と、
通信されるデータ量が、通信に用いられる通信方式に応じて設定された上限値より大きい場合に、現在通信している基地局よりも単位時間当たりの伝送容量が大きな通信方式に対応する基地局をサーチし、該基地局が検出された場合には、通信を行う基地局を当該基地局に切り替える基地局切替制御部と、を有し、
前記圧縮制御部は、通信されるデータ量が、当該基地局と通信を行う通信方式に応じて設定された上限値以上である場合に、前記データを前記圧縮部にて圧縮し、
前記圧縮部による前記データの圧縮は、非可逆圧縮方式である通信端末。
【請求項２】
請求項１に記載の通信端末において、
前記複数の通信方式にはＬＴＥ方式が含まれる通信端末。
【請求項３】
通信されるデータ量の上限値がそれぞれ設定された複数の通信方式が混在する無線通信環境を具備する通信システムであって、
通信を行う端末が、通信されるデータ量が、通信に用いられる通信方式に応じて設定された上限値より大きい場合に、現在通信している基地局よりも単位時間当たりの伝送容量が大きな通信方式に対応する基地局をサーチし、該基地局が検出された場合には、通信を行う基地局を当該基地局に切り替え、前記データ量が、当該基地局と通信を行う通信方式に応じて設定された上限値より大きい場合に、前記データのうち受信側で解凍されるデータを無線区間のみ送信側で圧縮して送信する通信システムであって、
通信されるデータ量が、通信に用いられる通信方式に応じて設定された上限値より大きい場合に、現在通信している基地局よりも単位時間当たりの伝送容量が大きな通信方式に対応する基地局をサーチし、該基地局が検出された場合には、通信を行う基地局を当該基地局に切り替える基地局切替制御部を有し、
圧縮制御部は、通信されるデータ量が、当該基地局と通信を行う通信方式に応じて設定された上限値以上である場合に、前記データを圧縮部にて圧縮し、
前記圧縮部による前記データの圧縮は、非可逆圧縮方式である通信システム。
【請求項４】
請求項３に記載の通信システムにおいて、
前記複数の通信方式にはＬＴＥ方式が含まれる通信システム。
【請求項５】
通信されるデータ量の上限値がそれぞれ設定された複数の通信方式が混在する無線通信環境下にて使用される通信端末における通信方法であって、
前記上限値より大きいデータ量のデータを送信するか否かを判断するステップと、
前記上限値より大きいデータ量のデータを送信する場合は、現在通信している基地局よりも単位時間当たりの伝送容量が大きな通信方式に対応する基地局をサーチするステップと、
該基地局が検出された場合には、通信を行う基地局を当該基地局に切り替えるステップと、
前記データ量が、当該基地局と通信を行う通信方式に応じて設定された上限値より大きい場合に、前記データのうち受信側で解凍されるデータを送信側で圧縮して送信するステップとを有する通信方法であって、
通信されるデータ量が、通信に用いられる通信方式に応じて設定された上限値より大きい場合に、現在通信している基地局よりも単位時間当たりの伝送容量が大きな通信方式に対応する基地局をサーチし、該基地局が検出された場合には、通信を行う基地局を当該基地局に切り替えるステップと、
通信されるデータ量が、当該基地局と通信を行う通信方式に応じて設定された上限値以上である場合に、前記データを圧縮部にて非可逆方式の圧縮ステップとを有する通信方法。
【請求項６】
請求項５に記載の通信方法において、
前記複数の通信方式にはＬＴＥ方式が含まれる通信方法。
【発明の詳細な説明】
【技術分野】
【０００１】
本発明は、複数の通信方式が混在する無線通信環境下において、いずれかの通信方式を用いて、電子メールやインターネットアクセス等のデータ通信を行う技術に関する。
【背景技術】
【０００２】
携帯電話端末に代表される移動体通信機器は、近年、高速なパケット通信が可能なＨＳＰＡ（High Speed Packet Access）への対応が進められている。移動体通信網においても、ＨＳＰＡよりも更に高速なパケット通信が可能なＬＴＥ（Long Term Evolution）の導入が検討される等、通信速度の高速化への対応が進められている。しかしながら、新しい通信方式を導入するためには、新しい通信方式に対応したネットワークインフラの構築が必要となるが、既存の設備を一度に置き換えるのは困難である。そのため、導入過程においては、新しい通信方式と既存の通信方式とが混在、併存する状況が生じる。【０００３】
一般的に、移動体通信機器は端末側と基地局側との通信方式が互いに対応していないと通信ができない。そのため、新方式に対応していない端末では、新方式の基地局が導入されたエリアであっても新方式としての通信が行えず、その利益を享受できない。逆に、高速通信が可能な新方式のみに対応した端末を所持していても、新方式の基地局エリアが拡大の過渡期である場合には、端末を使用できるエリアが旧方式の端末より限定されてしまうということも起こりうる。【０００４】
図１は、複数の通信方式が混在する無線通信環境の一例を示す図である。【０００５】
上述したような状況に対応するため、図１に示すように、ＧＰＲＳ（General packet radio service）／ＷＣＤＭＡ（Wideband Code Division Multiple Access）／ＨＳＰＡ／ＬＴＥ等の複数の通信方式が混在する無線通信環境下において、いずれかの通信方式を用いて、電子メールやインターネットアクセス等のデータ通信を行うことができる技術（マルチモード）が検討されている。マルチモードＬＴＥ等と呼ばれる技術では、ＬＴＥに加え、第３世代のＷＣＤＭＡ方式やＧＰＲＳ等の複数の通信方式に対応できる。例えば、ＬＴＥ／ＷＣＤＭＡマルチモード対応の端末を使用した場合、ＬＴＥ基地局エリアではＬＴＥ方式で、また、ＷＣＤＭＡの基地局エリアに移動した場合は、同一の端末のままで、移動先のＷＣＤＭＡの通信方式で通信することができる。【０００６】
このような、複数の通信方式が混在する無線通信環境に適用する関連技術が、特許文献１，２に開示されている。【０００７】
特許文献１では、互いに異なる独立した無線通信方式が混在して使用される場合でも、いずれかの方式に偏ったスループットの減少を回避する、という技術が開示されている。【０００８】
また、特許文献２では、伝送帯域幅の効率化の為の圧縮方法として交換センタ（或いはサービスノード）に圧縮あるいは終端メカニズムを設けない技術が開示されている。その代わり、この技術では、無線ネットワークコントローラ内に圧縮あるいは終端メカニズムを設けることにより、プロトコルデータパケットを処理するようにしている。
【先行技術文献】
【特許文献】
【０００９】
【特許文献１】特開２００８−２５８９５６公報
【特許文献２】特開２００５−１２４２１９公報
【発明の概要】
【発明が解決しようとする課題】
【００１０】
マルチモード対応の端末を使用して大容量のデータ通信を行う場合、通信を行う場所や、通信を行っている通信方式によっては帯域が十分でなく、高速大容量通信に対応していない基地局エリアでは長時間の通信が必要となる。そのため、携帯電話端末の消費電力性能の劣化、伝搬環境の変動による呼切断率の増加といった問題が生じることがあった。【００１１】
上述した特許文献１に開示された技術は、無線リソース全体における、混在した各無線通信技術のリソースの使用率が偏らないように制御するというものである。しかし、この技術では、ある無線通信リソースにおいて割り当てられた利用率の限界を上回る大容量のデータを送信する場合には、当該通信方式においてはそれ以上伝送容量を増やすことができない。従って、大容量データの送信に長時間を要するという問題は残る。【００１２】
また、特許文献２に開示された技術は、無線ネットワークコントローラにおいて無条件に信号を圧縮するというものである。従って、この技術では、圧縮の必要が無い低速の信号であっても圧縮処理を行うので、その分無駄にリソース（ＣＰＵ（Central Processing Unit）処理能力、消費電力等）を消費してしまうという問題がある。【００１３】
本発明は、ＧＰＲＳ／ＷＣＤＭＡ／ＨＳＰＡ／ＬＴＥ等の複数の通信方式が混在する無線通信環境下において、いずれかの通信方式を用いて電子メールやインターネットアクセス等のデータ通信を行う場合に長時間にわたるデータ通信を抑制し、上述した問題を解決することができる通信端末、通信システム及び通信方法を提供することを目的とする。
【課題を解決するための手段】
【００１４】
本発明による通信端末は、通信されるデータ量の上限値がそれぞれ設定された複数の通信方式が混在する無線通信環境下にて使用される通信端末であって、通信されるデータを圧縮する圧縮部と、通信されるデータ量が、通信に用いられる通信方式に応じて設定された上限値より大きい場合に、前記データを前記圧縮部にて圧縮する圧縮制御部と、通信されるデータ量が、通信に用いられる通信方式に応じて設定された上限値より大きい場合に、現在通信している基地局よりも単位時間当たりの伝送容量が大きな通信方式に対応する基地局をサーチし、該基地局が検出された場合には、通信を行う基地局を当該基地局に切り替える基地局切替制御部と、を有し、前記圧縮制御部は、通信されるデータ量が、当該基地局と通信を行う通信方式に応じて設定された上限値以上である場合に、前記データを前記圧縮部にて圧縮し、前記圧縮部による前記データの圧縮は、非可逆圧縮方式である。
【発明の効果】
【００１７】
以上説明したように本発明においては、ＧＰＲＳ／ＷＣＤＭＡ／ＨＳＰＡ／ＬＴＥ等の複数の通信方式が混在する無線通信環境下において、いずれかの通信方式を用いて電子メールやインターネットアクセス等のデータ通信を行う場合に使用でき来る。それぞれの通信方式の単位時間当たりの伝送容量に応じて、通信されるデータ量の上限値を設定しておき、上限値以上となるデータ通信を行う場合に、通信されるデータを圧縮した上で通信する。従って、各通信方式に最適なデータ量で通信を行い、長時間にわたるデータ通信を抑制し、上述した問題を解決する維持することができる。
【図面の簡単な説明】
【００１８】
【図１】複数の通信方式が混在する無線通信環境の一例を示す図である。
【図２】本発明の通信端末の第１の実施の形態を示す図である。
【図３】図２に示したデータ量上限値リスト部に設定された各通信方式における通信されるデータの量の上限値を示す図である。
【図４】図２に示した携帯電話端末における通信方法を説明するためのフローチャートである。
【図５】本発明の通信端末の第２の実施の形態を示す図である。
【図６】図５に示した携帯電話端末における通信方法を説明するためのフローチャートである。
【図７】本発明の通信端末の第３の実施の形態を示す図である。
【発明を実施するための最良の形態】
【００１９】
（第１の実施の形態）
図２は、本発明の通信端末の第１の実施の形態を示す図である。【００２０】
本形態は図２に示すように、通信端末となる携帯電話端末が複数の通信方式からどの方式を選ぶかを設定する通信方式設定部１１と、複数の各通信方式毎のデータ量の上限値が対応付けられているデータ量上限値リスト部１３と、送信対象となるデータの圧縮処理を行うデータ圧縮部１４と、データ圧縮部１４にて送信対象となるデータを圧縮するか否かを制御するデータ圧縮制御部１２とから構成されている。【００２１】
上記のように構成された携帯電話端末においては、データの送信を開始すると、まず、通信方式設定部１１からデータ通信に使用される通信方式がデータ圧縮制御部１２に通知される。すると、データ圧縮制御部１２は、データ量上限値リスト部１３に設定された各通信方式における通信されるデータの量の上限値を確認する。【００２２】
図３は、図２に示したデータ量上限値リスト部１３に設定された各通信方式における通信されるデータの量の上限値を示す図である。【００２３】
図３に示すように、図２に示したデータ量上限値リスト部１３には、各通信方式における通信されるデータの量の上限値が設定されている。【００２４】
データ圧縮制御部１２においては、送信対象となるデータと、通信方式設定部１１から通知された通信方式における上限量とを比較し、送信対象となるデータの方が大きな場合には、データ圧縮部１４に対して送信対象のデータの圧縮を指示する。【００２５】
データ圧縮部１４においては、送信対象となるデータの圧縮を行う旨の指示をデータ圧縮制御部１２から受けた場合は、送信対象となるデータの圧縮を行ない、送信データとして送信のための次工程（不図示）に送られる。【００２６】
以下に、上述した携帯電話端末における通信方法についてフローチャートを用いて説明する。【００２７】
図４は、図２に示した携帯電話端末における通信方法を説明するためのフローチャートである。【００２８】
まず、ステップＳ１において、携帯電話端末がデータの送信を開始する。この際、データ通信に使用される通信方式が通信方式設定部１１からデータ圧縮制御部１２に通知される。【００２９】
次に、ステップＳ２において、データ圧縮制御部１２が、データ通信に使用される通信方式を確認し、ステップＳ３において、図３に示した各通信方式における通信されるデータの量の上限値のうち、使用される通信方式に応じた上限値を確認する。【００３０】
次に、ステップＳ４において、データ圧縮制御部１２が、送信対象となるデータの量と、ステップＳ３で確認された上限値とを比較し、送信対象となるデータが上限値以上の場合、ステップＳ５において、データ圧縮部１４にて送信対象となるデータを圧縮し、ステップＳ６において、圧縮したデータを送信する。例えば、送信対象となるデータが、携帯電話端末に付属のデジタルカメラで撮影した画像等の場合、一般に画像品質が高精細であるほどデータ量が多くなる。送信対象となる画像のデータ量が上述した上限値以上の場合はデータを圧縮し、データ量を減少させて送信する。圧縮されて送信されたデータは対向する受信相手方にて解凍されてデータの通信が完了する。【００３１】
また、送信対象となるデータが、ステップＳ３で確認した上限値より小さな場合は、携帯電話端末は、送信対象となるデータを圧縮せずにそのまま送信する。例えば、送信対象となるデータが、テキストベースの短い文章のメール等であれば、圧縮処理を行わずに送信することにより、その分の圧縮処理の為のリソース（ＣＰＵ負荷や消費電力等）を節約することができる。【００３２】
なお、データの圧縮方式としては、可逆圧縮でも非可逆的な圧縮方法でもよく、扱うデータの性質等に応じて任意に決めることができる。非可逆な圧縮を行った場合は、データを受け取った相手方にて解凍処理を行えばよい。例えば、高精細な画像データの場合で、画像の画質の劣化が許容されるなら、上述したデータの上限値の範囲で非可逆の画像圧縮を行ってデータ量を減少させるとしてもよく、この場合は相手方での解凍処理は不要となる場合がある。【００３３】
また、圧縮解凍処理はエンドツーエンド、即ち送信側の端末で圧縮したものを、データを最終的に受信する相手方にて解凍するとしてもよい。また、圧縮は無線区間のみで行うこととして、携帯電話端末にて圧縮されたファイルを基地局で解凍して最終受信者に転送することとしてもよい。【００３４】
以上説明したように本実施形態による携帯電話端末は、ＧＰＲＳ／ＷＣＤＭＡ／ＨＳＰＡ／ＬＴＥ等の複数の通信方式が混在する無線通信環境下において、いずれかの通信方式を用いて電子メールやインターネットアクセス等のデータ通信を行う場合に使用できる。それぞれの通信方式の単位時間当たりの伝送容量に応じて、通信されるデータ量の上限値を設定しておき、上限値以上のデータ通信を行う場合に、通信されるデータを圧縮した上で送信を行う。これにより、各通信方式に最適なデータ量で通信を行うことが可能となり、長時間にわたるデータ通信を抑制し、携帯電話端末の消費電力性能の劣化、伝搬環境の変動による呼切断率の増加といった問題を解決できる効果が得られる。【００３５】
（第２の実施の形態）
関連する携帯電話端末では、3GPP（3rd Generation Partnership Project） TS25.304に規定されているCell selection（セル選択）やCell reselection（セル再選択）動作に従って、より通信状態の良好な基地局と通信できるよう通信する基地局を選択していた。そのため、複数の通信方式が混在する無線通信環境下において、単位時間当たりの伝送容量が一番大きな基地局と通信するとは限らなかった。そこで、第２の実施の形態では、上限値以上のデータ量のデータ通信を開始する際に、携帯電話端末側で基地局をサーチする。その結果、現在位置登録している基地局よりも単位時間当たりの伝送容量が大きな基地局が検出された場合には、その基地局に位置登録をし直し、その基地局を介してデータ通信を行っている。従って、データ量によっては、通信されるデータ量を圧縮する処理を省略しつつ、短時間でデータ通信を完了させ、第１の実施の形態と同様な効果が得られるよう工夫している。【００３６】
図５は、本発明の通信端末の第２の実施の形態を示す図である。【００３７】
本形態は図５に示すように、通信端末となる携帯電話端末が複数の通信方式からどの方式を選ぶかを設定する通信方式設定部２１と、複数の各通信方式毎のデータ量の上限値が対応付けられているデータ量上限値リスト部２３と、送信対象となるデータの圧縮処理を行うデータ圧縮部２４と、データ圧縮部２４にて送信対象となるデータを圧縮するか否かを制御するデータ圧縮制御部２２と、基地局切替制御部２５とから構成されている。【００３８】
上記のように構成された携帯電話端末においては、データの送信を開始すると、まず、通信方式設定部２１からデータ通信に使用される通信方式がデータ圧縮制御部２２に通知される。すると、データ圧縮制御部２２は、データ量上限値リスト部２３に設定された各通信方式における通信されるデータの量の上限値を確認する。【００３９】
データ圧縮制御部２２においては、送信対象となるデータと、通信方式設定部２１から通知された通信方式における上限量とを比較し、送信対象となるデータの方が大きな場合には、通信方式設定部２１に対して基地局の切替を指示する。通信方式設定部２１は、基地局切替制御部２５に対し、通信可能な複数の通信方式のうち最大の通信容量の通信方式（例えばＬＴＥ）に対応可能な基地局をサーチし、その基地局への切替を試みるよう指示する。【００４０】
そして、基地局切替制御部２５は、適切な基地局を検出し、基地局切替が成功した場合は、通信方式設定部２１に切替に成功した旨を通知する。【００４１】
その後、新しく設定された通信方式に対応してデータ圧縮可否を決定してデータ圧縮を行い、送信データとして送信のための次工程（不図示）に送られる。【００４２】
以下に、上述した携帯電話端末における通信方法についてフローチャートを用いて説明する。【００４３】
図６は、図５に示した携帯電話端末における通信方法を説明するためのフローチャートである。【００４４】
まず、ステップＳ１１において、携帯電話端末がデータの送信を開始する。この際、データ通信に使用される通信方式が通信方式設定部２１からデータ圧縮制御部２２に通知される。【００４５】
次に、ステップＳ１２において、データ圧縮制御部２２が、データ通信に使用される通信方式を確認し、ステップＳ１３において、データ量上限値リスト部２３に設定された各通信方式における通信されるデータの量の上限値のうち、使用される通信方式に応じた上限値を確認する。【００４６】
次に、ステップＳ１４において、データ圧縮制御部２２が、送信対象となるデータの量と、ステップＳ１３で確認された上限値とを比較する。その結果、送信対象となるデータが上限値以上の場合、ステップＳ１５において、現在使用されている通信方式がＬＴＥであるか否かを判断する。【００４７】
そして、使用されている通信方式がＬＴＥ通信方式である場合には、ステップＳ１６において、通信されるデータをデータ圧縮部２４にて圧縮し、ステップＳ１７において圧縮したデータを送信する。【００４８】
また、送信対象となるデータが、ステップＳ１３で確認した上限値より小さな場合は、携帯電話端末は、送信対象となるデータを圧縮せずにそのまま送信する。【００４９】
また、現在使用されている通信方式がＬＴＥ通信方式以外である場合は、ステップＳ１８において、基地局切替制御部２５が、現在位置登録している基地局よりも単位時間当たりの伝送容量が大きな基地局のサーチを実施する。【００５０】
そして、ステップＳ１９において該当する基地局を検出した場合には、ステップＳ２０において、基地局切替制御部２５が、検出した単位時間当たりの伝送容量がより大きな基地局に位置登録をし直し、通信を行う基地局を切り替える。【００５１】
次に、ステップＳ２１において、データ圧縮制御部２２が、位置登録をし直した基地局の通信方式における上限値を確認し、ステップＳ２２において、データ圧縮制御部２２が、送信対象となるデータの量と、ステップＳ２１で確認された上限値とを比較する。その結果、送信対象となるデータが上限値以上の場合、ステップＳ１６における処理に移行し、上記同様に、データ圧縮部２４にて送信対象となるデータを圧縮し、圧縮したデータを送信する。【００５２】
また、送信対象となるデータが上限値より小さな場合は、携帯電話端末は、送信対象となるデータを圧縮せずにそのまま送信する。【００５３】
また、ステップＳ１９にて現在位置登録している基地局よりも単位時間当たりの伝送容量が大きな基地局を検出できなかった場合は、基地局を変更せずにステップＳ１６における処理に移行し、上記同様に、データ圧縮部２４にて送信対象となるデータを圧縮し、圧縮したデータを送信する。【００５４】
以上説明したように本実施形態による携帯電話端末は、ＧＰＲＳ／ＷＣＤＭＡ／ＨＳＰＡ／ＬＴＥ等の複数の通信方式が混在する無線通信環境下において、いずれかの通信方式を用いて電子メールやインターネットアクセス等のデータ通信を行う場合に使用できる。それぞれの通信方式の単位時間当たりの伝送容量に応じて、通信されるデータ量の上限値を設定しておき、上限値以上のデータ通信を行う場合に、通信されるデータを圧縮した上で送信を行うことにより、各通信方式に最適なデータ量で通信を行うことが可能となる。その結果、長時間にわたるデータ通信を抑制し、携帯電話端末の消費電力性能の劣化、伝搬環境の変動による呼切断率の増加といった問題を解決できるという効果を奏する。【００５５】
（第３の実施の形態）
図７は、本発明の通信端末の第３の実施の形態を示す図である。【００５６】
本形態は図７に示すように、通信端末となる携帯電話端末が複数の通信方式からどの方式を選ぶかを設定する通信方式設定部３１と、複数の各通信方式毎のデータ量の上限値が対応付けられているデータ量上限値リスト部３２と、送信対象データの圧縮処理を行うデータ圧縮部３３とから構成されている。【００５７】
上記のように構成された携帯電話端末においては、通信方式設定部３１及びデータ量上限値リスト部３２にて複数の各通信方式毎のデータ量の上限値が対応付けられている複数の通信方式毎の単位時間当たりの伝送容量に応じて、通信されるデータ量の上限値を設定する。上限値以上となるデータ通信を行う場合に、データ圧縮部３３にて通信されるデータを圧縮した上で送信する。これにより、各通信方式に最適なデータ量で通信を行うことが可能となり、長時間にわたるデータ通信を抑制し、携帯電話端末の消費電力性能の劣化、伝搬環境の変動による呼切断率の増加といった問題を解決できる効果が得られる。【００５８】
なお、上述した３つの実施の形態では、主として携帯電話端末に適用可能な方式を想定した構成としたが、同様に複数の通信方式が混在した環境で使用可能な無線通信端末であれば、その他の端末にも適用可能である。【００５９】
また、上述した３つの実施の形態では、無線ネットワーク内で無線通信を行う無線通信端末は、専用の通信装置を想定したが、例えば、各種データ処理を行うパーソナルコンピュータ装置に、本形態での無線通信部に相当する通信処理を行うボードやカード等を装着させた上で、通信制御処理を、コンピュータ装置側で実行させるようにして、その通信制御処理を実行するソフトウェアをパーソナルコンピュータ装置に実装させて、ビーコン等の送信の一時休止処理を実行する構成としてもよい。そのパーソナルコンピュータ装置等のデータ処理装置に実装されるプログラムについては、光ディスク，メモリカード等の各種記録（記憶）媒体を介して配付してもよく、或いはインターネットなどの通信手段を介して配付してもよい。【００６０】
（付記１）
通信されるデータ量の上限値がそれぞれ設定された複数の通信方式が混在する無線通信環境下にて使用される通信端末であって、
通信されるデータを圧縮する圧縮部と、
通信されるデータ量が、通信に用いられる通信方式に応じて設定された上限値以上である場合に、前記データを前記圧縮部にて圧縮する圧縮制御部とを有する通信端末。【００６１】
（付記２）
付記１に記載の通信端末において、
通信されるデータ量が、通信に用いられる通信方式に応じて設定された上限値以上である場合に、現在通信している基地局よりも単位時間当たりの伝送容量が大きな通信方式に対応する基地局をサーチし、該基地局が検出された場合には、通信を行う基地局を当該基地局に切り替える基地局切替制御部を有し、
前記圧縮制御部は、通信されるデータ量が、当該基地局と通信を行う通信方式に応じて設定された上限値以上である場合に、前記データを前記圧縮部にて圧縮する通信端末。【００６２】
（付記３）
付記２に記載の通信端末において、
前記複数の通信方式にはＬＴＥ方式が含まれる通信端末。【００６３】
（付記４）
付記２または付記３に記載の通信端末において、
前記圧縮部による前記データの圧縮は、非可逆圧縮方式である通信端末。【００６４】
（付記５）
通信されるデータ量の上限値がそれぞれ設定された複数の通信方式が混在する無線通信環境を具備する通信システムであって、
通信を行う端末が、通信されるデータ量が、通信に用いられる通信方式に応じて設定された上限値以上である場合に、現在通信している基地局よりも単位時間当たりの伝送容量が大きな通信方式に対応する基地局をサーチし、該基地局が検出された場合には、通信を行う基地局を当該基地局に切り替え、前記データ量が、当該基地局と通信を行う通信方式に応じて設定された上限値以上である場合に、前記データを圧縮して送信する通信システム。【００６５】
（付記６）
付記５に記載の通信システムにおいて、
前記複数の通信方式にはＬＴＥ方式が含まれる通信システム。【００６６】
（付記７）
付記５または付記６に記載の通信システムにおいて、
前記データの圧縮は、非可逆圧縮方式である通信システム。【００６７】
（付記８）
通信されるデータ量の上限値がそれぞれ設定された複数の通信方式が混在する無線通信環境下にて使用される通信端末における通信方法であって、
前記上限値以上のデータ量のデータを送信するか否かを判断するステップと、
前記上限値以上のデータ量のデータを送信する場合は、現在通信している基地局よりも単位時間当たりの伝送容量が大きな通信方式に対応する基地局をサーチするステップと、
該基地局が検出された場合には、通信を行う基地局を当該基地局に切り替えるステップと、
前記データ量が、当該基地局と通信を行う通信方式に応じて設定された上限値以上である場合に、前記データを圧縮して送信するステップとを有する通信方法。【００６８】
（付記９）
付記８に記載の通信方法において、
前記複数の通信方式にはＬＴＥ方式が含まれる通信方法。【００６９】
（付記１０）
付記８または付記９に記載の通信方法において、
前記データの圧縮は、非可逆圧縮方式である通信方法。【００７０】
（付記１１）
通信されるデータ量の上限値がそれぞれ設定された複数の通信方式が混在する無線通信環境下にて使用される通信端末に、
前記上限値以上のデータ量のデータを送信するか否かを判断する手順と、
前記上限値以上のデータ量のデータを送信する場合は、現在通信している基地局よりも単位時間当たりの伝送容量が大きな通信方式に対応する基地局をサーチする手順と、
該基地局が検出された場合には、通信を行う基地局を当該基地局に切り替える手順と、
前記データ量が、当該基地局と通信を行う通信方式に応じて設定された上限値以上である場合に、前記データを圧縮して送信する手順とを実行させるためのプログラム。【００７１】
以上、実施例を参照して本願発明を説明したが、本願発明は上記実施例に限定されるものではない。本願発明の構成や詳細には、本願発明のスコープ内で当業者が理解し得る様々な変更をすることができる。【００７２】
この出願は、２０１０年３月１０日に出願された日本出願特願２０１０−０５２６３４を基礎とする優先権を主張し、その開示の全てをここに取り込む。
【図１】
0005840599.tif 000002
【図２】
0005840599.tif 000003
【図３】
0005840599.tif 000004
【図４】
0005840599.tif 000005
【図５】
0005840599.tif 000006
【図６】
0005840599.tif 000007
【図７】
0005840599.tif 000008